(57)【要約】  【課題】ＣＤ−Ｒのような書き込み可能な記憶媒体を適切に再生することのできる記憶媒体再生装置を提供すること。  【解決手段】データの書き込み可能なディスク１１の再生が可能な記憶媒体再生装置において、ディスク１１からの再生信号の波形の立上りエッジ、又は立下りエッジと、再生クロックとの時間的なズレを検出するズレ検出器２２と、ズレ検出器２２により検出されたズレに基づいて、ズレを補償し、所望の波形特性を得るための波形等化を行う処理手段とを装備する。  【選択図】  図３
2005166201.tif 000002
【特許請求の範囲】
【請求項１】
データの書き込み可能な記憶媒体の再生が可能な記憶媒体再生装置において、
前記記憶媒体からの再生信号の波形の立上りエッジ、又は立下りエッジと、再生クロッ
クとの時間的なズレを検出するズレ検出手段と、
該ズレ検出手段により検出されたズレに基づいて、第１の所定処理を行う第１の処理手
段とを備えていることを特徴とする記憶媒体再生装置。
【請求項２】
前記第１の所定処理には、前記記憶媒体からの再生信号の波形の立上りエッジ、又は立
下りエッジと、再生クロックとの時間的なズレに基づいて、該ズレを補償し、所望の波形
特性を得るための波形等化を行う処理が含まれていることを特徴とする請求項１記載の記
憶媒体再生装置。
【請求項３】
前記第１の所定処理には、前記記憶媒体からの再生信号の波形の立上りエッジ、又は立
下りエッジと、再生クロックとの時間的なズレに基づいて、反転間隔の異なる信号の波形
毎にストローブポイントを変更させる処理が含まれていることを特徴とする請求項１記載
の記憶媒体再生装置。
【請求項４】
前記ズレ検出手段が、前記再生信号のうちの反転間隔の異なる少なくとも２種類の信号
における前記ズレを検出するものであり、
前記ズレ検出手段により検出された、前記再生信号のうちの反転間隔の異なる少なくと
も２種類の信号における前記ズレから、全種類の信号における波形の立上りエッジ、又は
立下りエッジと、再生クロックとの時間的なズレを求めるズレ算出手段を備え、
前記第１の処理手段が、前記ズレ検出手段により検出されたズレ、及び前記ズレ算出手
段により求められたズレに基づいて、前記第１の所定処理を行うものであることを特徴と
する請求項１〜３のいずれかの項に記載の記憶媒体再生装置。
【請求項５】
前記第１の所定処理には、ズレを補償するための設定値の変更を行う処理が含まれてお
り、
前記ズレ検出手段による、前記記憶媒体からの再生信号の波形の立上りエッジ、又は立
下りエッジと、再生クロックとの時間的なズレの検出と、
前記第１の処理手段による、前記第１の所定処理の前記設定値の変更とは第１の所定期
間に行われるものであり、
該第１の所定期間が、前記記憶媒体の再生開始直後の期間であることを特徴とする請求
項１〜４のいずれかの項に記載の記憶媒体再生装置。
【請求項６】
前記第１の所定処理には、ズレを補償するための設定値の変更を行う処理が含まれてお
り、
前記ズレ検出手段による、前記記憶媒体からの再生信号の波形の立上りエッジ、又は立
下りエッジと、再生クロックとの時間的なズレの検出と、
前記第１の処理手段による、前記第１の所定処理の前記設定値の変更とは第１の所定期
間に行われるものであり、
該第１の所定期間が、前記記憶媒体の再生開始から再生終了までの期間であることを特
徴とする請求項１〜４のいずれかの項に記載の記憶媒体再生装置。
【請求項７】
前記第１の所定処理には、ズレを補償するための設定値の変更を行う処理が含まれてお
り、
前記ズレ検出手段による、前記記憶媒体からの再生信号の波形の立上りエッジ、又は立
下りエッジと、再生クロックとの時間的なズレの検出と、
前記第１の処理手段による、前記第１の所定処理の前記設定値の変更とは第１の所定期
間に行われるものであり、
該第１の所定期間が、前記記憶媒体の中に含まれる各セッション毎の再生開始直後の期
間であることを特徴とする請求項１〜４のいずれかの項に記載の記憶媒体再生装置。
【請求項８】
データの書き込み可能な記憶媒体の再生が可能な記憶媒体再生装置において、
前記記憶媒体からの再生信号の波形の歪みの状態を検出する歪み状態検出手段と、
該歪み状態検出手段により検出された歪み状態に基づいて、第２の所定処理を行う第２
の処理手段とを備えていることを特徴とする記憶媒体再生装置。
【請求項９】
前記第２の所定処理には、前記歪み状態検出手段により検出された歪み状態に基づいて
、波形の歪みを補償し、所望の波形特性を得るための波形等化を行う処理が含まれている
ことを特徴とする請求項８記載の記憶媒体再生装置。
【請求項１０】
前記第２の所定処理には、前記歪み状態検出手段により検出された歪み状態に基づいて
、反転間隔の異なる信号の波形毎にストローブポイントを変更させる処理が含まれている
ことを特徴とする請求項８記載の記憶媒体再生装置。
【請求項１１】
前記歪み状態検出手段が、前記再生信号のうちの所定の種類の信号における、所定の時
間でのレベルと、前記所定の時間とは異なる別の所定の時間でのレベルとの比較によって
、歪みの状態を検出するものであることを特徴とする請求項８〜１０のいずれかの項に記
載の記憶媒体再生装置。
【請求項１２】
前記所定の種類の信号が、所定値以上の反転間隔を有するものであることを特徴とする
請求項１１記載の記憶媒体再生装置。
【請求項１３】
前記歪み状態検出手段が、前記再生信号のうちの所定の種類の信号における、ピット部
分の始まりから所定の時間経過後のレベルと、前記所定の種類とは異なる別の所定の種類
の信号における、ピット部分の始まりから前記所定の時間と同じ時間経過後のレベルとの
比較によって、歪みの状態を検出するものであることを特徴とする請求項８〜１０のいず
れかの項に記載の記憶媒体再生装置。
【請求項１４】
前記歪み状態検出手段が、前記再生信号における、ピット部分の始まり部分での波形の
傾きに基づいて、歪みの状態を検出するものであることを特徴とする請求項８〜１０のい
ずれかの項に記載の記憶媒体再生装置。
【請求項１５】
前記歪み状態検出手段が、前記再生信号のうちの所定の種類の信号における、ピット部
分の始まり部分での波形の傾きと、前記所定の種類とは異なる別の所定の種類の信号にお
ける、ピット部分の始まり部分での波形の傾きとに基づいて、歪みの状態を検出するもの
であることを特徴とする請求項１４記載の記憶媒体再生装置。
【請求項１６】
前記歪み状態検出手段が、前記再生信号のうちの所定の種類の信号における、ピット部
分の始まり部分での波形の傾きと、前記所定の種類と同じ種類の信号における、ピット部
分の終わり部分での波形の傾きとに基づいて、歪みの状態を検出するものであることを特
徴とする請求項１４記載の記憶媒体再生装置。
【請求項１７】
前記所定の種類の信号が、所定値以上の反転間隔を有するものであることを特徴とする
請求項１６記載の記憶媒体再生装置。
【請求項１８】
前記第２の所定処理には、歪みを補償するための設定値の変更を行う処理が含まれてお
り、
前記歪み状態検出手段による、前記記憶媒体からの再生信号の波形の歪み状態の検出と
、
前記第２の処理手段による、前記第２の所定処理の前記設定値の変更とは第２の所定期
間に行われるものであり、
該第２の所定期間が、前記記憶媒体の再生開始直後の期間であることを特徴とする請求
項８〜１７のいずれかの項に記載の記憶媒体再生装置。
【請求項１９】
前記第２の所定処理には、歪みを補償するための設定値の変更を行う処理が含まれてお
り、
前記歪み状態検出手段による、前記記憶媒体からの再生信号の波形の歪み状態の検出と
、
前記第２の処理手段による、前記第２の所定処理の前記設定値の変更とは第２の所定期
間に行われるものであり、
該第２の所定期間が、前記記憶媒体の再生開始から再生終了までの期間であることを特
徴とする請求項８〜１７のいずれかの項に記載の記憶媒体再生装置。
【請求項２０】
前記第２の所定処理には、歪みを補償するための設定値の変更を行う処理が含まれてお
り、
前記歪み状態検出手段による、前記記憶媒体からの再生信号の波形の歪み状態の検出と
、
前記第２の処理手段による、前記第２の所定処理の前記設定値の変更とは第２の所定期
間に行われるものであり、
該第２の所定期間が、前記記憶媒体の中に含まれる各セッション毎の再生開始直後の期
間であることを特徴とする請求項８〜１７のいずれかの項に記載の記憶媒体再生装置。
【発明の詳細な説明】
【技術分野】
【０００１】
本発明は記憶媒体再生装置に関し、より詳細には、個人使用者によってデータが書き込
まれた記憶媒体を適切に再生するための記憶媒体再生装置に関する。
【背景技術】
【０００２】
音楽や映像を楽しむためのディジタル方式の記憶媒体として、ＣＤやＤＶＤ、ＭＤなど
がよく知られている。ＣＤの信号はＥＦＭ（Eight to Fourteen Modulation）と呼ばれる
変調方式で記録され、３Ｔ（Ｔは所定の時間間隔）から１１Ｔの９種類のパターンがラン
ダムに再生されており、ＣＤから出力されるＲＦ信号をオシロスコープで観察すると、図
１８に示したようなアイパターンと呼ばれる波形が得られる。
【０００３】
図１９は、従来のプレーヤの要部を概略的に示したブロック図である（例えば、下記の
特許文献１、２参照）。ディスク１の信号は光ピックアップ２で読み出され、読み出され
た信号（アナログ信号）はコンパレータ３でディジタル信号に変換（２値の信号に整形）
され、変換されたディジタル信号はＤＦＦ（Ｄ Flip-flop）回路４の入力端子Ｄと、クロ
ック再生回路であるＰＬＬ（Phase Locked Loop ）回路５の入力端子へ入力されるように
なっている。
【０００４】
ＰＬＬ回路５で作り出されたクロック信号は、ＤＦＦ回路４の入力端子ＣＫと、ディジ
タル信号処理部６のクロック入力端子６ｂへ入力されるようになっている。ＤＦＦ回路４
は入力端子ＣＫに「０」から「１」になるクロック信号が入ってくると、入力端子Ｄに入
ってきて、保持されている信号（０or１）を出力端子Ｑからディジタル信号処理部６のデ
ータ入力端子６ａへ出力するようになっている。
【０００５】
ここでＰＬＬ回路５が必要となるのは、ＣＤ方式では、ディスク１から得られる信号は
２値のパルス信号だけであり、この信号を用いて、クロック信号を作り出さなければなら
ないからである。ディスク１から読み出され整形された２値の信号のエッジがクロックの
情報を有しているので、このエッジを用いてクロック信号を作り出すことができる。ある
一つのエッジが存在すると、次のエッジはそれから３Ｔから１１Ｔの間のどこかに存在す
る。これを用いて連続したパルス列を作ることがクロック再生である。
【０００６】
ところで、図１８に示したアイパターンではアイパターンの中心と振幅の中心とは一致
しているが、アイパターンの中心と振幅の中心とが一致しない場合がある。これはアシン
メトリ（asymmetry ）と呼ばれる現象で、ディスクをマスタリングするレーザーのパワー
や現像などのプロセス、また、プレーヤでのディスク再生時に使用するレーザーの波長に
よっても変化することが知られている。
【０００７】
符号間干渉やノイズがあると、立上りエッジ、立下りエッジの時間的なズレが生じ、再
生エラーを招いてしまうことがある。そのため、従来のプレーヤでは、３Ｔの信号をブー
ストさせるといった波形等化を行うことによって、上記したようなエラーが生じるのを防
いでいる。
【０００８】
さて、最近ではパソコンの普及、そして書き込み可能なＣＤ−Ｒ（CD-Recordable ）の
開発により、各個人でデータの書き込みが行われたＣＤ−Ｒをプレーヤで再生するケース
が増えてきている（もちろん、プレーヤにはＣＤだけでなく、ＣＤ−Ｒの再生を可能とす
る機能が装備されている必要がある）。
【０００９】
しかしながら、ＣＤ−Ｒには記録品質の悪い（例えば、ＣＤ−Ｒからの再生信号の波形
の歪みが大きい）ものが多く、プレーヤでの再生が困難となっているものが少なくない。
図１は、ＣＤ−Ｒからの歪みのある再生信号の波形を示した一例である。図２は、図１に
示した再生波形のうちピット部分を抽出したものと、再生クロックを示した図である。
【００１０】
図２から明らかなように、反転間隔の長い信号（例えば、１１Ｔの信号）については、
再生クロックに対して、立上りエッジＥｕ、立下りエッジＥｄの時間的な遅れが生じ、他
方、反転間隔の短い信号（例えば、３Ｔの信号）については、時間的な進みが生じている
。このため、再生波形をクロックで打ち抜く際（データストローブの際）、エラーが発生
しやすくなる。
【００１１】
このように、ＣＤ−Ｒからの再生信号の波形に大きな歪みが生じるのは、ディスクにデ
ータを書き込む際の書き込み速度の影響が大きいと考えられる。例えば、１０倍速（標準
再生速度の１０倍の速度）でのディスクへのデータの書き込み（レーザーを使ってのピッ
トの作成）が可能な記録装置を使って、１倍速（標準再生速度と同じ速度）でデータの書
き込みを行うようにすると、大きな歪みが生じる。
【００１２】
高倍速でのデータの書き込みが可能な記録装置は、高倍速でのデータの書き込みを基準
にして製造されていることが多く、例えば、１０倍速でのデータの書き込みが可能な記録
装置を使って、１倍速でのデータの書き込みを行う場合、ピット作成の諸条件（レーザー
パワーなど）は１０倍速のときの条件を、単に下げた値に設定されるに過ぎない場合があ
る。これでは、十分に適切なピットの大きさ、形を作成することができない場合がある。
【００１３】
ところで、このような波形の歪みを起因とするエラーについては、従来のプレーヤで行
っていた３Ｔの信号をブーストさせる（位相の直線的な補正）といった波形等化では、防
ぐことはできなかった。
【特許文献１】特開２００１−１４７７６号公報
【特許文献２】特開２００２−１００１２３号公報
【発明の開示】
【課題を解決するための手段及びその効果】
【００１４】
本発明は上記課題に鑑みなされたものであって、ＣＤ−Ｒのような書き込み可能な記憶
媒体を適切に再生することのできる記憶媒体再生装置を提供することを目的としている。
【００１５】
上記目的を達成するために本発明に係る記憶媒体再生装置（１）は、データの書き込み
可能な記憶媒体の再生が可能な記憶媒体再生装置において、前記記憶媒体からの再生信号
の波形の立上りエッジ、又は立下りエッジと、再生クロックとの時間的なズレを検出する
ズレ検出手段と、該ズレ検出手段により検出されたズレに基づいて、第１の所定処理を行
う第１の処理手段とを備えていることを特徴としている。
【００１６】
上記記憶媒体再生装置（１）によれば、前記ズレ検出手段により、前記記憶媒体からの
再生信号の波形の立上りエッジ、又は立下りエッジと、再生クロックとの時間的なズレが
検出され、このズレに基づいて前記第１の所定処理（例えば、前記ズレを補償するための
処理）が行われる。
【００１７】
すなわち、ＣＤ−Ｒなどのデータの書き込み可能な記憶媒体の再生エラーを引き起こす
原因（すなわち、再生クロックに対しての立上りエッジや立下りエッジの時間的なズレ）
が検出されるので、再生エラーを解消することができる。従って、データの書き込みが可
能な記憶媒体の再生を適切に行うことができる。
【００１８】
また、本発明に係る記憶媒体再生装置（２）は、上記記憶媒体再生装置（１）において
、前記第１の所定処理には、前記記憶媒体からの再生信号の波形の立上りエッジ、又は立
下りエッジと、再生クロックとの時間的なズレに基づいて、該ズレを補償し、所望の波形
特性を得るための波形等化を行う処理が含まれていることを特徴としている。
【００１９】
上記記憶媒体再生装置（２）によれば、前記記憶媒体からの再生信号の波形の立上りエ
ッジ、又は立下りエッジと、再生クロックとの時間的なズレに基づいて、該ズレを補償し
、前記所望の波形特性を得るための波形等化が行われる。すなわち、前記記憶媒体の再生
エラーを引き起こす原因を解消すべく波形等化が行われるので、前記記憶媒体の再生をよ
り適切に行うことができる。
【００２０】
また、本発明に係る記憶媒体再生装置（３）は、上記記憶媒体再生装置（１）において
、前記第１の所定処理には、前記記憶媒体からの再生信号の波形の立上りエッジ、又は立
下りエッジと、再生クロックとの時間的なズレに基づいて、反転間隔の異なる信号の波形
毎にストローブポイントを変更させる処理が含まれていることを特徴としている。
【００２１】
上記記憶媒体再生装置（３）によれば、前記記憶媒体からの再生信号の波形の立上りエ
ッジ、又は立下りエッジと、再生クロックとの時間的なズレに基づいて、反転間隔の異な
る信号毎にストローブポイント（信号波形を打ち抜くポイント、）が変更される。すなわ
ち、単純に再生クロックに合わせて、信号波形が打ち抜かれる（弁別される）のではなく
、前記ズレに基づいて、打ち抜くポイントが変更されるので、前記記憶媒体の再生エラー
を引き起こす原因を解消することができる。これにより、前記記憶媒体の再生をより適切
に行うことができる。
【００２２】
また、本発明に係る記憶媒体再生装置（４）は、上記記憶媒体再生装置（１）〜（３）
のいずれかにおいて、前記ズレ検出手段が、前記再生信号のうちの反転間隔の異なる少な
くとも２種類の信号における前記ズレを検出するものであり、前記ズレ検出手段により検
出された、前記再生信号のうちの反転間隔の異なる少なくとも２種類の信号における前記
ズレから、全種類の信号における波形の立上りエッジ、又は立下りエッジと、再生クロッ
クとの時間的なズレを求めるズレ算出手段を備え、前記第１の処理手段が、前記ズレ検出
手段により検出されたズレ、及び前記ズレ算出手段により求められたズレに基づいて、前
記第１の所定処理を行うものであることを特徴としている。
【００２３】
上記記憶媒体再生装置（４）によれば、前記再生信号のうちの反転間隔の異なる少なく
とも２種類の信号（例えば、３Ｔの信号と１１Ｔの信号）におけるズレが検出され、これ
ら２種類の信号におけるズレから、全種類の信号（３Ｔ〜１１Ｔの信号全て）におけるズ
レが求められる。例えば、反転間隔の最も短い３Ｔの信号におけるズレと、反転間隔の最
も長い１１Ｔの信号におけるズレとの差を８等分するなどの演算を行うことによって、４
Ｔ〜１０Ｔの信号におけるズレを求めることができる。
これにより、全種類の信号に生じるズレをより適切に補償することができるので、デー
タの書き込みが可能な記憶媒体の再生をより一層適切に行うことができる。また、全種類
の信号におけるズレについても非常に簡単に求めることができるので、演算部である処理
負荷を軽減することができる。
【００２４】
また、本発明に係る記憶媒体再生装置（５）は、上記記憶媒体再生装置（１）〜（４）
のいずれかにおいて、前記第１の所定処理には、ズレを補償するための設定値の変更を行
う処理が含まれており、前記ズレ検出手段による、前記記憶媒体からの再生信号の波形の
立上りエッジ、又は立下りエッジと、再生クロックとの時間的なズレの検出と、前記第１
の処理手段による、前記第１の所定処理の前記設定値の変更とは第１の所定期間に行われ
るものであり、該第１の所定期間が、前記記憶媒体の再生開始直後の期間であることを特
徴としている。
【００２５】
上記記憶媒体再生装置（５）によれば、前記ズレ検出手段によるズレの検出と、前記第
１の処理手段による前記設定値の変更とが、前記記憶媒体の再生開始直後の期間に行われ
る。従って、再生開始直後の期間だけ、ズレの検出を行い、ズレを補償するための設定値
を変更することができるので、装置の簡素化を図ることができる。
【００２６】
また、本発明に係る記憶媒体再生装置（６）は、上記記憶媒体再生装置（１）〜（４）
のいずれかにおいて、前記第１の所定処理には、ズレを補償するための設定値の変更を行
う処理が含まれており、前記ズレ検出手段による、前記記憶媒体からの再生信号の波形の
立上りエッジ、又は立下りエッジと、再生クロックとの時間的なズレの検出と、前記第１
の処理手段による、前記第１の所定処理の前記設定値の変更とは第１の所定期間に行われ
るものであり、該第１の所定期間が、前記記憶媒体の再生開始から再生終了までの期間で
あることを特徴としている。
【００２７】
上記記憶媒体再生装置（６）によれば、前記ズレ検出手段によるズレの検出と、前記第
１の処理手段による前記設定値の変更とが、前記記憶媒体の再生開始から再生終了までの
期間に行われる。すなわち、常時、ズレの検出が行われ、ズレを補償する処理が行われる
ので、処理の負荷は大きくなるが、データの書き込みが可能な記憶媒体の適切な再生を確
実に行うことができる。
【００２８】
また、本発明に係る記憶媒体再生装置（７）は、上記記憶媒体再生装置（１）〜（４）
のいずれかにおいて、前記第１の所定処理には、ズレを補償するための設定値の変更を行
う処理が含まれており、前記ズレ検出手段による、前記記憶媒体からの再生信号の波形の
立上りエッジ、又は立下りエッジと、再生クロックとの時間的なズレの検出と、前記第１
の処理手段による、前記第１の所定処理の前記設定値の変更とは第１の所定期間に行われ
るものであり、該第１の所定期間が、前記記憶媒体の中に含まれる各セッション毎の再生
開始直後の期間であることを特徴としている。
【００２９】
ところで、記憶媒体に対してデータの追記が行われると、一つの記憶媒体の中に複数の
セッションが含まれることになる。データの追記が行われることは、新たにピット作成が
行われることになる。各セッションによって記録装置が異なったり、記録速度（倍速）が
異なる場合、各セッション毎に記録品質が異なる可能性が高くなる。
【００３０】
上記記憶媒体再生装置（７）によれば、前記ズレ検出手段によるズレの検出と、前記第
１の処理手段による前記設定値の変更とが、前記記憶媒体の中に含まれる各セッション毎
の再生開始直後の期間に行われる。従って、各セッションによって記録品質が異なってい
ても、各セッション毎に、ズレの検出を行い、ズレの補償値を変更する処理を行うように
することができるので、装置の簡素化を図ると共に、前記記憶媒体の再生をより一層適切
に行うことができる。
【００３１】
また、本発明に係る記憶媒体再生装置（８）は、データの書き込み可能な記憶媒体の再
生が可能な記憶媒体再生装置において、前記記憶媒体からの再生信号の波形の歪みの状態
を検出する歪み状態検出手段と、該歪み状態検出手段により検出された歪み状態に基づい
て、第２の所定処理を行う第２の処理手段とを備えていることを特徴としている。
【００３２】
上記記憶媒体再生装置（８）によれば、前記歪み状態検出手段により、前記記憶媒体か
らの再生信号の波形の歪み状態が検出され、この歪み状態に基づいて前記第２の所定処理
（例えば、前記歪みを補償するための処理）が行われる。すなわち、ＣＤ−Ｒなどのデー
タの書き込み可能な記憶媒体の再生エラーを引き起こす原因（すなわち、波形の歪みの状
態）が検出されるので、再生エラーを解消することができる。従って、データの書き込み
が可能な記憶媒体の再生を適切に行うことができる。
【００３３】
また、本発明に係る記憶媒体再生装置（９）は、上記記憶媒体再生装置（８）において
、前記第２の所定処理には、前記歪み状態検出手段により検出された歪み状態に基づいて
、波形の歪みを補償し、所望の波形特性を得るための波形等化を行う処理が含まれている
ことを特徴としている。
【００３４】
上記記憶媒体再生装置（９）によれば、前記記憶媒体からの再生信号の波形の歪みの状
態に基づいて、波形の歪みを補償し、前記所望の波形特性を得るための波形等化が行われ
る。すなわち、前記記憶媒体の再生エラーを引き起こす原因を解消すべく波形等化が行わ
れるので、前記記憶媒体の再生をより適切に行うことができる。
【００３５】
また、本発明に係る記憶媒体再生装置（１０）は、上記記憶媒体再生装置（８）におい
て、前記第２の所定処理には、前記歪み状態検出手段により検出された歪み状態に基づい
て、反転間隔の異なる信号の波形毎にストローブポイントを変更させる処理が含まれてい
ることを特徴としている。
【００３６】
上記記憶媒体再生装置（１０）によれば、前記記憶媒体からの再生信号の波形の歪みの
状態に基づいて、反転間隔の異なる信号毎にストローブポイント（信号波形を打ち抜くポ
イント、）が変更される。すなわち、単純に再生クロックに合わせて、信号波形が打ち抜
かれる（弁別される）のではなく、前記歪みの状態に基づいて、打ち抜くポイントが変更
されるので、前記記憶媒体の再生エラーを引き起こす原因を解消することができる。これ
により、前記記憶媒体の再生をより適切に行うことができる。
【００３７】
また、本発明に係る記憶媒体再生装置（１１）は、上記記憶媒体再生装置（８）〜（１
０）のいずれかにおいて、前記歪み状態検出手段が、前記再生信号のうちの所定の種類の
信号における、所定の時間でのレベルと、前記所定の時間とは異なる別の時間でのレベル
との比較によって、歪みの状態を検出するものであることを特徴としている。
【００３８】
図１８に示したアイパターン（波形信号に歪みのない場合）と、図１、図１０に示した
アイパターン（波形信号に歪みのある場合）とを比較すると明らかなように、波形信号に
歪みのない場合に信号（７Ｔ〜１１Ｔの信号）のレベルが一定となっている部分が、波形
信号に歪みのある場合には信号のレベルが一定になっていない。換言すれば、信号のレベ
ルが一定となるべき部分において、実際の信号のレベルを見ることによって、波形信号に
歪みが生じているか否か、またどの程度の歪みが生じているのかを知ることができる。
【００３９】
上記記憶媒体再生装置（１１）によれば、前記再生信号のうちの所定の種類の信号（例
えば、１１Ｔの信号）における、所定の時間でのレベルと、前記所定の時間とは異なる別
の所定の時間でのレベルとの比較によって、歪みの状態が検出される。例えば、図１０に
示したように、１１Ｔの信号における時間ｔ1でのレベルと、時間ｔ2でのレベルとを比較することによって、波形の歪み状態を検出することができる。これにより、波形の歪みをより適切に補償することができるので、データの書き込みが可能な記憶媒体の再生をより一層適切に行うことができる。
【００４０】
また、本発明に係る記憶媒体再生装置（１２）は、上記記憶媒体再生装置（１１）にお
いて、前記所定の種類の信号が、所定値以上の反転間隔を有するものであることを特徴と
している。
【００４１】
図１８に示したアイパターンから明らかなように、反転間隔の長い信号の方が、反転間
隔の短い信号よりもレベルが一定となっている期間が長い。レベルが一定になっている期
間の長い信号を用いた方が、上記したレベルの比較は容易であり、また、比較精度を高め
ることができる。
【００４２】
上記記憶媒体再生装置（１２）によれば、前記所定の種類の信号（すなわち、比較の対
象となる信号）が、前記所定値以上の反転間隔を有するもの（例えば、７Ｔ〜１１Ｔ）で
あるので、波形の歪み状態をより適切に検出することができる。
【００４３】
また、本発明に係る記憶媒体再生装置（１３）は、上記記憶媒体再生装置（８）〜（１
０）のいずれかにおいて、前記歪み状態検出手段が、前記再生信号のうちの所定の種類の
信号における、ピット部分の始まりから所定の時間経過後のレベルと、前記所定の種類と
は異なる別の所定の種類の信号における、ピット部分の始まりから前記所定の時間と同じ
時間経過後のレベルとの比較によって、歪みの状態を検出するものであることを特徴とし
ている。
【００４４】
図１８に示したアイパターン（波形信号に歪みのない場合）と、図１、図１２に示した
アイパターン（波形信号に歪みのある場合）とを比較すると明らかなように、波形信号に
歪みのない場合にある種類の信号（例えば、５Ｔの信号）のレベルとある別の種類の信号
（例えば、１１Ｔの信号）のレベルとが略一致する部分が、波形信号に歪みのある場合に
はこれら信号のレベルが一致していない。換言すれば、これら信号のレベルが一致すべき
部分において、実際の信号のレベルを見ることによって、波形信号に歪みが生じているか
否か、またどの程度の歪みが生じているのかを知ることができる。
【００４５】
上記記憶媒体再生装置（１３）によれば、前記再生信号のうちの所定の種類の信号（例
えば、５Ｔの信号）における、ピット部分の始まりから所定の時間経過後のレベルと、前
記所定の種類とは異なる前記別の所定の種類の信号（例えば、１１Ｔの信号）における、
ピット部分の始まりから前記所定の時間と同じ時間経過後のレベルとの比較によって、歪
みの状態が検出される。例えば、図１２に示したように、５Ｔの信号における時間ｔ3でのレベルと、１１Ｔの信号における時間ｔ3でのレベルとを比較することによって、波形
の歪み状態を検出することができる。これにより、波形の歪みをより適切に補償すること
ができるので、データの書き込みが可能な記憶媒体の再生をより一層適切に行うことがで
きる。
【００４６】
また、本発明に係る記憶媒体再生装置（１４）は、上記記憶媒体再生装置（８）〜（１
０）のいずれかにおいて、前記歪み状態検出手段が、前記再生信号における、ピット部分
の始まり部分での波形の傾きに基づいて、歪みの状態を検出するものであることを特徴と
している。
【００４７】
図１８に示したアイパターン（波形信号に歪みのない場合）と、図１、図１４に示した
アイパターン（波形信号に歪みのある場合）とを比較すると明らかなように、波形信号に
歪みのない場合には、ピット部分の始まり部分での波形の傾きには規則性があるが、波形
信号に歪みのある場合には、当然のことではあるが、歪みがあり規則性はない。換言すれ
ば、ピット部分の始まり部分での波形の傾きを見ることによって、波形信号に歪みが生じ
ているか否か、また、どの程度の歪みが生じているのかを知ることができる。
【００４８】
上記記憶媒体再生装置（１４）によれば、前記再生信号における、ピット部分の始まり
部分での波形の傾きに基づいて、歪みの状態が検出される。これにより、波形の歪みをよ
り適切に補償することができるので、データの書き込みが可能な記憶媒体の再生をより一
層適切に行うことができる。
【００４９】
また、本発明に係る記憶媒体再生装置（１５）は、上記記憶媒体再生装置（１４）にお
いて、前記歪み状態検出手段が、前記再生信号のうちの所定の種類の信号における、ピッ
ト部分の始まり部分での波形の傾きと、前記所定の種類とは異なる別の所定の種類の信号
における、ピット部分の始まり部分での波形の傾きとに基づいて、歪みの状態を検出する
ものであることを特徴としている。
【００５０】
図１８に示したアイパターン（波形信号に歪みのない場合）と、図１、図１４に示した
アイパターン（波形信号に歪みのある場合）とを比較すると明らかなように、波形信号に
歪みのない場合に、ある種類の信号（例えば、３Ｔの信号）における、ピット部分の始ま
り部分での波形の傾きと、ある別の種類の信号（例えば、１１Ｔの信号）における、ピッ
ト部分の始まり部分での波形の傾きとは略一致するが、波形信号に歪みのある場合には、
これら波形の傾きは一致しない。換言すれば、これら波形の傾きを比較することによって
、波形信号に歪みが生じているか否か、また、どの程度の歪みが生じているのかを知るこ
とができる。
【００５１】
上記記憶媒体再生装置（１５）によれば、前記再生信号のうちの所定の種類の信号（例
えば、３Ｔの信号）における、ピット部分の始まり部分での波形の傾きと、前記所定の種
類とは異なる前記別の所定の種類の信号（例えば、１１Ｔの信号）における、ピット部分
の始まり部分での波形の傾きとに基づいて、歪みの状態が検出される。例えば、図１４に
示したように、ピット部分の始まり部分での３Ｔの信号における波形の傾きと、１１Ｔの
信号における波形の傾きとを比較することによって、波形の歪み状態を検出することがで
きる。これにより、波形の歪みをより適切に補償することができるので、データの書き込
みが可能な記憶媒体の再生をより一層適切に行うことができる。
【００５２】
また、本発明に係る記憶媒体再生装置（１６）は、上記記憶媒体再生装置（１４）にお
いて、前記歪み状態検出手段が、前記再生信号のうちの所定の種類の信号における、ピッ
ト部分の始まり部分での波形の傾きと、前記所定の種類と同じ種類の信号における、ピッ
ト部分の終わり部分での波形の傾きとに基づいて、歪みの状態を検出するものであること
を特徴としている。
【００５３】
図１８に示したアイパターン（波形信号に歪みのない場合）と、図１、図１６に示した
アイパターン（波形信号に歪みのある場合）とを比較すると明らかなように、波形信号に
歪みのない場合に、ある種類の信号（例えば、１１Ｔの信号）における、ピット部分の始
まり部分での波形の傾きと、ピット部分の終わり部分での波形の傾きとは一致する（但し
、正負は逆）が、波形信号に歪みのある場合には、これら波形の傾きは一致しない。換言
すれば、これら波形の傾きを比較することによって、波形信号に歪みが生じているか否か
、また、どの程度の歪みが生じているのかを知ることができる。
【００５４】
上記記憶媒体再生装置（１６）によれば、前記再生信号のうちの所定の種類の信号（例
えば、１１Ｔの信号）における、ピット部分の始まり部分での波形の傾きと、前記所定の
種類と同じ種類の信号における、ピット部分の終わり部分での波形の傾きとに基づいて、
歪みの状態が検出される。例えば、図１６に示したように、１１Ｔの信号におけるピット
部分の始まり部分での波形の傾きと、ピット部分の終わりの部分での波形の傾きとを比較
することによって、波形の歪み状態を検出することができる。これにより、波形の歪みを
より適切に補償することができるので、データの書き込みが可能な記憶媒体の再生をより
一層適切に行うことができる。
【００５５】
また、本発明に係る記憶媒体再生装置（１７）は、上記記憶媒体再生装置（１６）にお
いて、前記所定の種類の信号が、所定値以上の反転間隔を有するものであることを特徴と
している。
【００５６】
上記記憶媒体再生装置（１７）によれば、前記所定の種類の信号が、前記所定値以上の
反転間隔を有するもの（例えば、７Ｔ〜１１Ｔ）であり、ピット部分の始まり部分での波
形の傾きとピット部分の終わり部分での波形の傾きとの差が大きく、波形の歪み状態をよ
り適切に検出することができる。
【００５７】
また、本発明に係る記憶媒体再生装置（１８）は、上記記憶媒体再生装置（８）〜（１
７）のいずれかにおいて、前記第２の所定処理には、歪みを補償するための設定値の変更
を行う処理が含まれており、前記歪み状態検出手段による、前記記憶媒体からの再生信号
の波形の歪み状態の検出と、前記第２の処理手段による、前記第２の所定処理の前記設定
値の変更とは第２の所定期間に行われるものであり、該第２の所定期間が、前記記憶媒体
の再生開始直後の期間であることを特徴としている。
【００５８】
上記記憶媒体再生装置（１８）によれば、前記歪み状態検出手段による波形の歪み状態
の検出と、前記第２の処理手段による前記設定値の変更とが、前記記憶媒体の再生開始直
後の期間に行われる。従って、再生開始直後の期間だけ、波形の歪みの状態の検出を行い
、歪みを補償するための前記設定値を変更することができるので、装置の簡素化を図るこ
とができる。
【００５９】
また、本発明に係る記憶媒体再生装置（１９）は、上記記憶媒体再生装置（８）〜（１
７）のいずれかにおいて、前記第２の所定処理には、歪みを補償するための設定値の変更
を行う処理が含まれており、前記歪み状態検出手段による、前記記憶媒体からの再生信号
の波形の歪み状態の検出と、前記第２の処理手段による、前記第２の所定処理の前記設定
値の変更とは第２の所定期間に行われるものであり、該第２の所定期間が、前記記憶媒体
の再生開始から再生終了までの期間であることを特徴としている。
【００６０】
上記記憶媒体再生装置（１９）によれば、前記歪み状態検出手段による波形の歪み状態
の検出と、前記第２の処理手段による前記設定値の変更とが、前記記憶媒体の再生開始か
ら再生終了までの期間に行われる。すなわち、常時、波形の歪みの状態の検出が行われ、
歪みを補償する処理が行われるので、処理の負荷は大きくなるが、データの書き込みが可
能な記憶媒体の適切な再生を確実に行うことができる。
【００６１】
また、本発明に係る記憶媒体再生装置（２０）は、上記記憶媒体再生装置（８）〜（１
７）のいずれかにおいて、前記第２の所定処理には、歪みを補償するための設定値の変更
を行う処理が含まれており、前記歪み状態検出手段による、前記記憶媒体からの再生信号
の波形の歪み状態の検出と、前記第２の処理手段による、前記第２の所定処理の前記設定
値の変更とは第２の所定期間に行われるものであり、該第２の所定期間が、前記記憶媒体
の中に含まれる各セッション毎の再生開始直後の期間であることを特徴としている。
【００６２】
ところで、記憶媒体に対してデータの追記が行われると、一つの記憶媒体の中に複数の
セッションが含まれることになる。データの追記が行われることは、新たにピット作成が
行われることになる。各セッションによって記録装置が異なったり、記録速度（倍速）が
異なる場合、各セッション毎に記録品質が異なる可能性が高くなる。
【００６３】
上記記憶媒体再生装置（２０）によれば、前記歪み状態検出手段による波形の歪み状態
の検出と、前記第２の処理手段による前記設定値の変更とが、前記記憶媒体の中に含まれ
る各セッション毎の再生開始直後の期間に行われる。従って、各セッション毎に記録品質
が異なっていても、各セッション毎に、波形の歪みの状態の検出を行い、歪みの補償値を
変更する処理を行うようにすることができるので、装置の簡素化を図ると共に、前記記憶
媒体の再生をより一層適切に行うことができる。
【発明を実施するための最良の形態】
【００６４】
以下、本発明に係る記憶媒体再生装置の実施の形態を図面に基づいて説明する。図３は
、実施の形態（１）に係る記憶媒体再生装置の要部を概略的に示したブロック図である。
データの書き込みが可能であり、既に何らかのデータが書き込まれたディスク１１（例え
ば、ＣＤ−Ｒ）は光ピックアップ１２で読み出され、読み出された信号（アナログ信号）
は切換スイッチ１３、波形等化器１４〜１６のいずれか、及び切換スイッチ１７を介して
、コンパレータ１８へ入力され、コンパレータ１８でディジタル信号に変換され、変換さ
れたディジタル信号はＤＦＦ回路１９の入力端子Ｄと、クロック再生回路であるＰＬＬ回
路２０の入力端子へ入力されるようになっている。
【００６５】
ＰＬＬ回路２０で作り出されたクロック信号は、ＤＦＦ回路１９の入力端子ＣＫと、デ
ィジタル信号処理部２１のクロック入力端子２１ｂへ入力されるようになっている。ＤＦ
Ｆ回路１９は入力端子ＣＫに「０」から「１」になるクロック信号が入ってくると、入力
端子Ｄに入ってきて、保持されているデータ（０or１）を出力端子Ｑからディジタル信号
処理部２１のデータ入力端子２１ａへ出力するようになっている。
【００６６】
また、光ピックアップ１２で読み出された信号は、切換スイッチ１３だけではなく、ズ
レ検出器２２へも入力され、ズレ検出器２２でディスク１１からの再生信号の波形の立上
りエッジ（又は立下りエッジ）と再生クロックとの時間的なズレ（位相差）や、前記再生
信号のピット長（前記再生信号の反転間隔）が検出され、その検出結果が判定器２３へ入
力されるようになっている。
【００６７】
判定器２３はズレ検出器２２で検出された結果に基づいて、ディスク１１からの再生信
号を波形等化器１４〜１６のいずれで波形等化させるべきかを判定し、その判定結果に基
づいて、切換スイッチ１３、１７を制御するようになっており、例えば、クロック１周期
を３６０°とした場合、判定器２３は下記の１〜３に示したように、切換スイッチ１３、
１７を制御するようになっている。
【００６８】
１）ピット長の最も短い３Ｔの信号と、ピット長の最も長い１１Ｔの信号との位相差が
９０°未満のとき
ディスク１１からの再生信号が波形等化器１４を介して、コンパレータ１８へ入力され
るように、切換スイッチ１３、１７を制御する。
２）３Ｔの信号と１１Ｔの信号との位相差が９０°以上１８０°未満のとき
ディスク１１からの再生信号が波形等化器１５を介して、コンパレータ１８へ入力され
るように、切換スイッチ１３、１７を制御する。
３）３Ｔの信号と１１Ｔの信号との位相差が１８０°以上のとき
ディスク１１からの再生信号が波形等化器１６を介して、コンパレータ１８へ入力され
るように、切換スイッチ１３、１７を制御する。
【００６９】
波形等化器１４〜１６は、３Ｔの信号と１１Ｔの信号との位相差に応じて、ディスク１
１からの再生信号の波形の立上りエッジ（又は立下りエッジ）と再生クロックとの時間的
なズレを適切に補償し、所望の波形特性を得るための波形等化を行うように構成されてい
る。
【００７０】
波形等化器１４は３Ｔのブーストのみを行い、位相特性は直線となっている。波形等化
器１５は３Ｔのブーストを行うと共に、３Ｔの周波数に対し、４Ｔ〜１１Ｔの位相を進め
るような位相特性となっている。波形等化器１６は３Ｔのブーストを行うと共に、波形等
化器１５の約２倍の進みをもった位相特性となっている。
【００７１】
図４は、実施の形態（１）に係る記憶媒体再生装置を構成するズレ検出器２２の要部を
概略的に示したブロック図である。光ピックアップ１２で読み出された信号は、コンパレ
ータ３１でディジタル信号に変換され、変換されたディジタル信号は位相比較器３２と、
ピット長検出器３３と、クロック再生回路であるＰＬＬ回路３４へ入力されるようになっ
ている。また、ＰＬＬ回路３４で作り出されたクロック信号は、位相比較器３２と、ピッ
ト長検出器３３へ入力されるようになっている。図５に、図１に示した再生波形（歪みあ
り）のうちピット部分を抽出したものと、ＰＬＬ回路３４で作り出された再生クロックと
、コンパレータ３１からの出力値（ここでは３Ｔの信号と１１Ｔの信号）とを示す。
【００７２】
位相比較器３２は、コンパレータ３１からの信号（すなわち、ディスク１１からの再生
信号）と、ＰＬＬ回路３４からのクロック信号とによって、ディスク１１からの再生信号
の波形の立上りエッジ（又は立下りエッジ）と、再生クロックとの位相差（すなわち、時
間的なズレ）を検出することができるようになっている。また、ピット長検出器３３につ
いては、コンパレータ３１からの信号と、ＰＬＬ回路３４からのクロック信号とによって
、ディスク１１からの再生信号のピット長（前記再生信号の反転間隔）を検出することが
できるようになっている。
【００７３】
上記実施の形態（１）に係る記憶媒体再生装置によれば、ズレ検出器２２により、ディ
スク１１からの再生信号の波形の立上りエッジ（又は立下りエッジ）と再生クロックとの
時間的なズレ（位相差）が検出され、このズレに基づいて、該ズレを補償し、所望の波形
特性を得るための波形等化が行われる。すなわち、ディスク１１の再生エラーを引き起こ
す原因を解消すべく波形等化が行われるので、ディスク１１の再生をより適切に行うこと
ができる。
【００７４】
図６は、実施の形態（２）に係る記憶媒体再生装置の要部を概略的に示したブロック図
である。なお、図３に示した記憶媒体再生装置と同様の構成部分については同符号を付し
ている。ディスク１１は光ピックアップ１２で読み出され、読み出された信号（アナログ
信号）は遅延回路４１を介して、コンパレータ１８へ入力され、コンパレータ１８でディ
ジタル信号に変換され、変換されたディジタル信号はＤＦＦ回路１９の入力端子Ｄと、ク
ロック再生回路であるＰＬＬ回路２０の入力端子へ入力されるようになっている。
【００７５】
ＰＬＬ回路２０で作り出されたクロック信号は、切換スイッチ４２と、クロック再生回
路４３と、クロック再生回路４４と、ＤＦＦ回路４５の入力端子ＣＫと、ディジタル信号
処理部２１のクロック入力端子２１ｂへ入力されるようになっている。但し、ＤＦＦ回路
４５の入力端子ＣＫへ入力される際、クロック信号は反転させられるようになっている。
【００７６】
クロック再生回路４３は、基本となるクロック信号（ＰＬＬ回路２０で作り出されたク
ロック信号）よりも所定時間進んだクロック信号を作り出し、クロック再生回路４４はそ
の逆に、基本となるクロック信号よりも所定時間遅れたクロック信号を作り出すようにな
っている。
【００７７】
また、クロック再生回路４３、４４で作り出されたクロック信号は、切換スイッチ４２
へ入力されるようになっており、ＰＬＬ回路２０、及びクロック再生回路４３、４４のい
ずれかで作り出されたクロック信号は切換スイッチ４２を介して、ＤＦＦ回路１９の入力
端子ＣＫへ入力されるようになっている。
【００７８】
ＤＦＦ回路１９は入力端子ＣＫに「０」から「１」になるクロック信号が入ってくると
、入力端子Ｄに入ってきて、保持されているデータ（０or１）を出力端子ＱからＤＦＦ回
路４５の入力端子Ｄへ出力するようになっている。また、ＤＦＦ回路４５は入力端子ＣＫ
に「０」から「１」になるクロック信号が入ってくると（すなわち、ＰＬＬ回路２０から
出力されるクロック信号が「１」から「０」になると）、入力端子Ｄに入ってきて、保持
されているデータ（０or１）を出力端子Ｑからディジタル信号処理部２１ａへ出力するよ
うになっている。
【００７９】
また、光ピックアップ１２で読み出された信号は、遅延回路４１だけではなく、ズレ検
出器２２へも入力され、ズレ検出器２２でディスク１１からの再生信号の波形の立上りエ
ッジ（又は立下りエッジ）と再生クロックとの時間的なズレ（位相差）や、前記再生信号
のピット長（前記再生信号の反転間隔）が検出され、その検出結果が判定器４６へ入力さ
れるようになっている。
【００８０】
判定器４６はズレ検出器２２で検出された結果に基づいて、ディスク１１からの再生信
号をどのタイミングでＤＦＦ回路４６へ出力させるべきかを判定し、その判定結果に基づ
いて、切換スイッチ４２を制御するようになっており、例えば、クロック１周期を３６０
°とした場合、判定器４６は下記の１〜４に示したように、切換スイッチ４２を制御する
ようになっている。
【００８１】
１）ピット長の最も短い３Ｔの信号と、ピット長の最も長い１１Ｔの信号との位相差が
１２０°未満のとき
ＰＬＬ回路２０で作り出された基本となるクロック信号がＤＦＦ回路１９の入力端子Ｃ
Ｋへ入力されるように、切換スイッチ４２を制御する。
２）３Ｔの信号と１１Ｔの信号との位相差が１２０°以上で、ディスク１１からの再生
信号が３Ｔ〜５Ｔの信号であるとき
クロック再生回路４３で作り出されたクロック信号（基本となるクロック信号よりも所
定時間進んだクロック信号）がＤＦＦ回路１９の入力端子ＣＫへ入力されるように、切換
スイッチ４２を制御する。
３）３Ｔの信号と１１Ｔの信号との位相差が１２０°以上で、ディスク１１からの再生
信号が６Ｔ〜８Ｔの信号であるとき
ＰＬＬ回路２０で作り出された基本となるクロック信号がＤＦＦ回路１９の入力端子Ｃ
Ｋへ入力されるように、切換スイッチ４２を制御する。
４）３Ｔの信号と１１Ｔの信号との位相差が１２０°以上で、ディスク１１からの再生
信号が９Ｔ〜１１Ｔの信号であるとき
クロック再生回路４４で作り出されたクロック信号（基本となるクロック信号よりも所
定時間遅れたクロック信号）がＤＦＦ回路１９の入力端子ＣＫへ入力されるように、切換
スイッチ４２を制御する。
【００８２】
上記したように、ピット長毎にストローブポイントを変更するためには、当然のことで
はあるが、ディスク１１からの再生信号のピット長を判別する必要があり、ピット長を判
別する時間を確保する必要がある。遅延回路４１はそのために設けられている。
【００８３】
図７に、図１に示した再生波形（歪みあり）のうちピット部分を抽出したものと、ＰＬ
Ｌ回路２０、及びクロック再生回路４３、４４で作り出された再生クロックと、コンパレ
ータ１８、及びＤＦＦ回路１９、４５の出力端子Ｑからの出力値（ここでは３Ｔの信号と
１１Ｔの信号）とを示す。なお、図７に示した再生波形での３Ｔの信号と１１Ｔの信号と
の位相差は１２０°以上である。
【００８４】
また、図７から分かるように、ディスク１１からの再生信号が３Ｔの信号の場合、ＤＦ
Ｆ回路１９は再生クロック（進み）の立上りを受けて、出力端子Ｑから信号が出力され、
ＤＦＦ回路４５は再生クロック（基本）の立下りを受けて、出力端子Ｑから信号が出力さ
れている。また、ディスク１１からの再生信号が１１Ｔの信号の場合、ＤＦＦ回路１９は
再生クロック（遅れ）の立上りを受けて、出力端子Ｑから信号が出力され、ＤＦＦ回路４
５は再生クロック（基本）の立下りを受けて、出力端子Ｑから信号が出力されている。
【００８５】
上記実施の形態（２）に係る記憶媒体再生装置によれば、ズレ検出器２２により、ディ
スク１１からの再生信号の波形の立上りエッジ（又は立下りエッジ）と再生クロックとの
時間的なズレ（位相差）が検出され、このズレに基づいて、ピット長（反転間隔の異なる
信号）毎にストローブポイント（信号波形を打ち抜くポイント、）が変更される。すなわ
ち、単純に基本となる再生クロックに合わせて、信号波形が打ち抜かれる（弁別される）
のではなく、前記ズレに基づいて、打ち抜くポイントが変更されるので、ディスク１１の
再生エラーを引き起こす原因を解消することができる。これにより、ディスク１１の再生
をより適切に行うことができる。
【００８６】
図８は、実施の形態（３）に係る記憶媒体再生装置の要部を概略的に示したブロック図
である。但し、図３に示した記憶媒体再生装置と同様の構成部分については同符号を付し
、ここではその説明を省略する。
【００８７】
光ピックアップ１２で読み出された信号は、切換スイッチ１３だけではなく、波形歪み
検出器５１へも入力され、波形歪み検出器５１でディスク１１からの再生信号の波形の歪
みの状態が検出され、その検出結果が判定器５２へ入力されるようになっている。判定器
５２は波形歪み検出器５１で検出された結果に基づいて、ディスク１１からの再生信号を
波形等化器５３〜５５のいずれで波形等化させるべきかを判定し、その判定結果に基づい
て、切換スイッチ１３、１７を制御するようになっている。
【００８８】
後で詳しく説明するが、波形歪み検出器５１は、ピット長も最も長い１１Ｔの信号にお
ける、所定の時間ｔ1でのレベル（例えば、電圧値）と、所定の時間ｔ1とは異なる別の所定の時間ｔ2でのレベルとのレベル差を求めることによって、波形の歪み状態を検出している。
【００８９】
また、波形等化器５３〜５５は、１１Ｔの信号における、所定の時間ｔ1でのレベルと
、所定の時間ｔ2でのレベルとのレベル差に応じて、ディスク１１からの再生信号の波形の歪みを適切に補償し、所望の波形特性を得るための波形等化を行うように構成されてい
る。
【００９０】
波形等化器５３は３Ｔのブーストのみを行い、位相特性は直線となっている。波形等化
器５４は３Ｔのブーストを行うと共に、３Ｔの周波数に対し、４Ｔ〜１１Ｔの位相を進め
るような位相特性となっている。波形等化器５５は３Ｔのブーストを行うと共に、波形等
化器５４の約２倍の進みをもった位相特性となっている。
【００９１】
図９は、実施の形態（３）に係る記憶媒体再生装置を構成する波形歪み検出器５１の要
部を概略的に示したブロック図である。波形歪み検出器５１はコンパレータ６１と、シフ
トレジスタ６２と、ＰＬＬ回路６３と、ＡＮＤ回路６４〜６６と、サンプルホールド回路
６７、６８と、レベル比較器６９とを含んで構成されている。
【００９２】
図１０は、図１に示した再生波形（歪みあり）のうちピット部分を抽出したものと、Ｐ
ＬＬ回路６３で作り出された再生クロックと、コンパレータ６１からの出力値（ここでは
１１Ｔの信号）と、シフトレジスタ６２の出力端子Ｑ１からの出力値と、ＡＮＤ回路６５
からの出力値（サンプルホールドクロックＣ１）と、ＡＮＤ回路６６からの出力値（サン
プルホールドクロックＣ２）と、ＡＮＤ回路６４からの出力値（１１Ｔの信号検出）とを
示した図である。
【００９３】
光ピックアップ１２（図８参照）で読み出された信号は、コンパレータ６１でディジタ
ル信号に変換され、変換されたディジタル信号はシフトレジスタ６２の入力端子Ｄと、ク
ロック再生回路であるＰＬＬ回路６３へ入力されるようになっている。また、ＰＬＬ回路
６３で作り出されたクロック信号は、シフトレジスタ６２の入力端子ＣＫへ入力されるよ
うになっている。なお、シフトレジスタ６２は入力端子Ｄから入力された情報を、入力端
子ＣＫから入力されるクロック信号を受けることによって、順番にけた送りする回路であ
る。
【００９４】
シフトレジスタ６２の出力端子Ｑ１〜Ｑ１１から出力された信号は、全てＡＮＤ回路６
４へ入力され、ＡＮＤ回路６４から出力される信号はレベル比較器６９へ入力されるよう
になっている。但し、ＡＮＤ回路６４へ信号が入力される際、信号が反転させられるよう
になっている。従って、ＡＮＤ回路６４から「１」が出力されるのは、シフトレジスタ６
２の出力端子Ｑ１〜Ｑ１１全てから「０」が出力された場合（すなわち、ディスク１１か
らの再生信号が１１Ｔの信号である場合）となり、レベル比較器６９でディスク１１から
の再生信号が１１Ｔの信号であるか否かを判別することができるようになる。
【００９５】
また、シフトレジスタ６２の出力端子Ｑ３、Ｑ４から出力された信号は、ＡＮＤ回路６
５へ入力され、シフトレジスタ６２の出力端子Ｑ９、Ｑ１０から出力された信号は、ＡＮ
Ｄ回路６６へ入力されるようになっている。但し、出力端子Ｑ３、Ｑ９からの信号は、Ａ
ＮＤ回路６５、６６へ入力される際、反転させられるようになっている。従って、ＡＮＤ
回路６５、６６から「１」が出力されるのは、出力端子Ｑ１から「１」が出力された後、
入力端子ＣＫへ「０」から「１」となるクロック信号がそれぞれ３回、９回と入力された
場合である。
【００９６】
ＡＮＤ回路６５、６６から出力された信号は、それぞれサンプルホールドクロックＣ１
、Ｃ２として、それぞれサンプルホールド回路６７、６８へ入力されるようになっている
。これらサンプルホールド回路６７、６８は、光ピックアップ１２で読み出された信号が
入力されるようになっており、ＡＮＤ回路６５、６６から出力されたサンプルホールドク
ロックＣ１、Ｃ２（時間ｔ1、ｔ2）に合わせて、その時に入力されている信号のレベル（電圧値）に関する情報をレベル比較器６９へ出力するようになっている。
【００９７】
レベル比較器６９は、ＡＮＤ回路６４からの信号と、サンプルホールド回路６７、６８
からの信号とによって、１１Ｔの信号における、時間ｔ1でのレベルと、時間ｔ2でのレベルとを比較してレベル差（波形の歪みの状態）を求め、このレベル差に関する情報を判定器５２（図８参照）へ出力するようになっている。
【００９８】
図１８に示したアイパターンからも明らかなように、波形信号に歪みがない場合には、
１１Ｔの信号における、時間ｔ1でのレベルと、時間ｔ2でのレベルとは一致する。換言すれば、これらレベルが一致しない場合、波形信号に歪みがあることが分かり、また、これらのレベル差から歪みの状態を知ることもできる。
【００９９】
上記実施の形態（３）に係る記憶媒体再生装置によれば、波形歪み検出器５１により、
ディスク１１からの再生信号の波形の歪み状態（レベル差）が検出され、この歪み状態に
基づいて、波形の歪みを補償し、所望の波形特性を得るための波形等化が行われる。すな
わち、ディスク１１の再生エラーを引き起こす原因を解消すべく波形等化が行われるので
、ディスク１１の再生をより適切に行うことができる。
【０１００】
次に、実施の形態（４）に係る記憶媒体再生装置について説明する。但し、実施の形態
（４）に係る記憶媒体再生装置は、図８に示した記憶媒体再生装置とは波形歪み検出器５
１と、判定器５２とを除き同様の構成であるので、波形歪み検出器と、判定器には異なる
符号を付し、その他の構成部分についての説明をここでは省略する。
【０１０１】
図１１は、実施の形態（４）に係る記憶媒体再生装置を構成する波形歪み検出器５１Ａ
の要部を概略的に示したブロック図である。波形歪み検出器５１Ａはコンパレータ７１と
、シフトレジスタ７２と、ＰＬＬ回路７３と、ＡＮＤ回路７４〜７６と、サンプルホール
ド回路７７と、レベル比較器７８とを含んで構成されている。
【０１０２】
図１２は、図１に示した再生波形（歪みあり）のうちピット部分を抽出したものと、Ｐ
ＬＬ回路７３で作り出された再生クロックと、コンパレータ７１からの出力値（ここでは
１１Ｔの信号）と、シフトレジスタ７２の出力端子Ｑ１からの出力値と、ＡＮＤ回路７６
からの出力値（サンプルホールドクロック）とを示した図である。
【０１０３】
光ピックアップ１２（図８参照）で読み出された信号は、コンパレータ７１でディジタ
ル信号に変換され、変換されたディジタル信号はシフトレジスタ７２の入力端子Ｄと、ク
ロック再生回路であるＰＬＬ回路７３へ入力されるようになっている。また、ＰＬＬ回路
７３で作り出されたクロック信号は、シフトレジスタ７２の入力端子ＣＫへ入力されるよ
うになっている。なお、シフトレジスタ７２は入力端子Ｄから入力された情報を、入力端
子ＣＫから入力されるクロック信号を受けることによって、順番にけた送りする回路であ
る。
【０１０４】
シフトレジスタ７２の出力端子Ｑ１〜Ｑ７から出力された信号は、ＡＮＤ回路７４へ入
力され、ＡＮＤ回路７４から出力される信号はレベル比較器７８へ入力されるようになっ
ている。但し、出力端子Ｑ２〜Ｑ６の５端子からの信号は、ＡＮＤ回路７４へ信号が入力
される際、反転させられるようになっている。従って、ＡＮＤ回路７４から「１」が出力
されるのは、シフトレジスタ７２の出力端子Ｑ１、Ｑ７から「１」が出力され、出力端子
Ｑ２〜Ｑ６から「０」が出力された場合（すなわち、ディスク１１からの再生信号が５Ｔ
の信号である場合）となり、レベル比較器７８でディスク１１からの再生信号が５Ｔの信
号であるか否かを判別することができるようになる。
【０１０５】
また、シフトレジスタ７２の出力端子Ｑ１〜Ｑ１１から出力された信号は、全てＡＮＤ
回路７５へ入力され、ＡＮＤ回路７５から出力される信号はレベル比較器７８へ入力され
るようになっている。但し、ＡＮＤ回路７５へ信号が入力される際、信号が反転させられ
るようになっている。従って、ＡＮＤ回路７５から「１」が出力されるのは、シフトレジ
スタ７２の出力端子Ｑ１〜Ｑ１１全てから「０」が出力された場合（すなわち、ディスク
１１からの再生信号が１１Ｔの信号である場合）となり、レベル比較器７８でディスク１
１からの再生信号が１１Ｔの信号であるか否かを判別することができるようになる。
【０１０６】
また、シフトレジスタ７２の出力端子Ｑ３、Ｑ４から出力された信号は、ＡＮＤ回路７
６へ入力されるようになっている。但し、出力端子Ｑ３からの信号は、ＡＮＤ回路７６へ
入力される際、反転させられるようになっている。従って、ＡＮＤ回路７６から「１」が
出力されるのは、出力端子Ｑ１から「１」が出力された後、入力端子ＣＫへ「０」から「
１」となるクロック信号が３回入力された場合である。
【０１０７】
ＡＮＤ回路７６から出力された信号は、サンプルホールドクロックとして、サンプルホ
ールド回路７７へ入力されるようになっている。サンプルホールド回路７７は、光ピック
アップ１２で読み出された信号が入力されるようになっており、ＡＮＤ回路７６から出力
されたサンプルホールドクロック（時間ｔ3）に合わせて、その時に入力されている信号のレベル（電圧値）に関する情報をレベル比較器７８へ出力するようになっている。
【０１０８】
レベル比較器７８は、ＡＮＤ回路７４、７５からの信号と、サンプルホールド回路７７
からの信号とによって、５Ｔ、１１Ｔそれぞれの信号における、時間ｔ3でのレベルを比較してレベル差（波形の歪みの状態）を求め、このレベル差に関する情報を判定器５２Ａ
（図８参照）へ出力するようになっている。
【０１０９】
上記実施の形態（４）に係る記憶媒体再生装置によれば、波形歪み検出器５１Ａにより
、ディスク１１からの再生信号の波形の歪み状態（レベル差）が検出され、この歪み状態
に基づいて、波形の歪みを補償し、所望の波形特性を得るための波形等化が行われる。す
なわち、ディスク１１の再生エラーを引き起こす原因を解消すべく波形等化が行われるの
で、ディスク１１の再生をより適切に行うことができる。
【０１１０】
次に、実施の形態（５）に係る記憶媒体再生装置について説明する。但し、実施の形態
（５）に係る記憶媒体再生装置は、図８に示した記憶媒体再生装置とは波形歪み検出器５
１と、判定器５２とを除き同様の構成であるので、波形歪み検出器と、判定器とには異な
る符号を付し、その他の構成部分についての説明をここでは省略する。
【０１１１】
図１３は、実施の形態（５）に係る記憶媒体再生装置を構成する波形歪み検出器５１Ｂ
の要部を概略的に示したブロック図である。波形歪み検出器５１Ｂはコンパレータ８１と
、シフトレジスタ８２と、ＰＬＬ回路８３と、ＡＮＤ回路８４〜８６と、微分回路８７と
、ピーク検出器８８と、傾き比較器８９とを含んで構成されている。
【０１１２】
図１４は、ディスク１１からの再生波形（歪みあり）のうち、３Ｔ、１１Ｔの信号のピ
ット部分を抽出したものと、前記再生波形を微分した微分波形と、ＰＬＬ回路８３で作り
出された再生クロックと、コンパレータ８１からの出力値（ここでは３Ｔの信号と１１Ｔ
の信号）と、シフトレジスタ８２の出力端子Ｑ１、Ｑ２からの出力値と、ＡＮＤ回路８４
、８５からの出力値（３Ｔ、１１Ｔの信号検出）と、ＡＮＤ回路８６からの出力値（立上
りエッジの検出）とを示した図である。
【０１１３】
光ピックアップ１２（図８参照）で読み出された信号は、コンパレータ８１でディジタ
ル信号に変換され、変換されたディジタル信号はシフトレジスタ８２の入力端子Ｄと、ク
ロック再生回路であるＰＬＬ回路８３へ入力されるようになっている。また、ＰＬＬ回路
８３で作り出されたクロック信号は、シフトレジスタ８２の入力端子ＣＫへ入力されるよ
うになっている。なお、シフトレジスタ８２は入力端子Ｄから入力された情報を、入力端
子ＣＫから入力されるクロック信号を受けることによって、順番にけた送りする回路であ
る。
【０１１４】
シフトレジスタ８２の出力端子Ｑ１〜Ｑ５から出力された信号は、ＡＮＤ回路８４へ入
力され、ＡＮＤ回路８４から出力される信号は傾き比較器８９へ入力されるようになって
いる。但し、出力端子Ｑ２〜Ｑ４の３端子からの信号は、ＡＮＤ回路８４へ信号が入力さ
れる際、反転させられるようになっている。従って、ＡＮＤ回路８４から「１」が出力さ
れるのは、シフトレジスタ８２の出力端子Ｑ１、Ｑ５から「１」が出力され、出力端子Ｑ
２〜Ｑ４から「０」が出力された場合（すなわち、ディスク１１からの再生信号が３Ｔの
信号である場合）となり、傾き比較器８９でディスク１１からの再生信号が３Ｔの信号で
あるか否かを判別することができるようになる。
【０１１５】
また、シフトレジスタ８２の出力端子Ｑ１〜Ｑ１１から出力された信号は、全てＡＮＤ
回路８５へ入力され、ＡＮＤ回路８５から出力される信号は傾き比較器８９へ入力される
ようになっている。但し、ＡＮＤ回路８５へ信号が入力される際、信号が反転させられる
ようになっている。従って、ＡＮＤ回路８５から「１」が出力されるのは、シフトレジス
タ８２の出力端子Ｑ１〜Ｑ１１全てから「０」が出力された場合（すなわち、ディスク１
１からの再生信号が１１Ｔの信号である場合）となり、傾き比較器８９でディスク１１か
らの再生信号が１１Ｔの信号であるか否かを判別することができるようになる。
【０１１６】
また、シフトレジスタ８２の出力端子Ｑ２、Ｑ３から出力された信号は、ＡＮＤ回路８
６へ入力されるようになっている。但し、出力端子Ｑ３からの信号は、ＡＮＤ回路８６へ
入力される際、反転させられるようになっている。従って、ＡＮＤ回路８６から「１」が
出力されるのは、出力端子Ｑ２から出力される信号が「０」から「１」になった時点であ
る。出力端子Ｑ２から出力される信号が「０」から「１」になる直前には、立上りエッジ
があることになるので、ＡＮＤ回路８６からの信号によって立上りエッジを検出すること
ができる。
【０１１７】
また、光ピックアップ１２で読み出された信号は、微分回路８７で微分されて再生波形
の傾きが求められ、微分された信号（傾きを示したデータ）はピーク検出器８８へ入力さ
れるようになっている。ピーク検出器８８は、微分回路８７で微分された値のうち負側の
ピーク値（すなわち、ピット部分の始まり部分での波形の傾き）を検出するようになって
おり、検出したピーク値の情報を傾き比較器８９へ出力するようになっている。また、ピ
ーク検出器８８には、ＡＮＤ回路８６からの信号が入力されるようになっており、ＡＮＤ
回路８６から「０」から「１」になる信号を入力すると（すなわち、立上りエッジが検出
されると）、保持しているピーク値をリセットするようになっている。
【０１１８】
傾き比較器８９は、ＡＮＤ回路８４、８５からの信号と、ピーク検出器８８からのピー
ク値の情報とによって、３Ｔ、１１Ｔそれぞれの信号におけるピーク値を比較してピーク
値差、すなわち再生波形の傾きの差（波形の歪みの状態）を求め、この差に関する情報を
判定器５２Ｂ（図８参照）へ出力するようになっている。
【０１１９】
上記実施の形態（５）に係る記憶媒体再生装置によれば、波形歪み検出器５１Ｂにより
、ディスク１１からの再生信号の波形の歪み状態（波形の傾きの差）が検出され、この歪
み状態に基づいて、波形の歪みを補償し、所望の波形特性を得るための波形等化が行われ
る。すなわち、ディスク１１の再生エラーを引き起こす原因を解消すべく波形等化が行わ
れるので、ディスク１１の再生をより適切に行うことができる。
【０１２０】
次に、実施の形態（６）に係る記憶媒体再生装置について説明する。但し、実施の形態
（６）に係る記憶媒体再生装置は、図８に示した記憶媒体再生装置とは波形歪み検出器５
１と、判定器５２とを除き同様の構成であるので、波形歪み検出器と、判定器とには異な
る符号を付し、その他の構成部分についての説明をここでは省略する。
【０１２１】
図１５は、実施の形態（６）に係る記憶媒体再生装置を構成する波形歪み検出器５１Ｃ
の要部を概略的に示したブロック図である。波形歪み検出器５１Ｃはコンパレータ９１と
、シフトレジスタ９２と、ＰＬＬ回路９３と、ＡＮＤ回路９４、９５と、微分回路９６と
、ピーク検出器９７、９８と、傾き比較器９９とを含んで構成されている。
【０１２２】
図１６は、ディスク１１からの再生波形（歪みあり）のうち、１１Ｔの信号のピット部
分を抽出したものと、前記再生波形を微分した微分波形と、ＰＬＬ回路９３で作り出され
た再生クロックと、コンパレータ９１からの出力値（ここでは１１Ｔの信号）と、シフト
レジスタ９２の出力端子Ｑ１、Ｑ２からの出力値と、ＡＮＤ回路９４からの出力値（１１
Ｔの信号検出）と、ＡＮＤ回路９５からの出力値（立上りエッジの検出）とを示した図で
ある。
【０１２３】
光ピックアップ１２（図８参照）で読み出された信号は、コンパレータ９１でディジタ
ル信号に変換され、変換されたディジタル信号はシフトレジスタ９２の入力端子Ｄと、ク
ロック再生回路であるＰＬＬ回路９３へ入力されるようになっている。また、ＰＬＬ回路
９３で作り出されたクロック信号は、シフトレジスタ９２の入力端子ＣＫへ入力されるよ
うになっている。なお、シフトレジスタ９２は入力端子Ｄから入力された情報を、入力端
子ＣＫから入力されるクロック信号を受けることによって、順番にけた送りする回路であ
る。
【０１２４】
シフトレジスタ９２の出力端子Ｑ２〜Ｑ１２から出力された信号は、全てＡＮＤ回路９
４へ入力され、ＡＮＤ回路９４から出力される信号は傾き比較器９９へ入力されるように
なっている。但し、ＡＮＤ回路９４へ信号が入力される際、信号が反転させられるように
なっている。従って、ＡＮＤ回路９４から「１」が出力されるのは、シフトレジスタ９２
の出力端子Ｑ２〜Ｑ１２全てから「０」が出力された場合（すなわち、ディスク１１から
の再生信号が１１Ｔの信号である場合）となり、傾き比較器９９でディスク１１からの再
生信号が１１Ｔの信号であるか否かを判別することができるようになる。
【０１２５】
また、シフトレジスタ９２の出力端子Ｑ２、Ｑ３から出力された信号は、ＡＮＤ回路９
５へ入力されるようになっている。但し、出力端子Ｑ３からの信号は、ＡＮＤ回路９５へ
入力される際、反転させられるようになっている。従って、ＡＮＤ回路９５から「１」が
出力されるのは、出力端子Ｑ２から出力される信号が「０」から「１」になった時点であ
る。出力端子Ｑ２から出力される信号が「０」から「１」になる直前には、立上りエッジ
があることになるので、ＡＮＤ回路９５からの信号によって立上りエッジを検出すること
ができる。
【０１２６】
また、光ピックアップ１２で読み出された信号は、微分回路９６で微分されて再生波形
の傾きが求められ、微分された信号（傾きを示したデータ）はピーク検出器９７、９８そ
れぞれへ入力されるようになっている。ピーク検出器９７は、微分回路９６で微分された
値のうち負側のピーク値（すなわち、ピット部分の始まり部分での波形の傾き）を検出し
、ピーク検出器９８は、正側のピーク値（すなわち、ピット部分の終わり部分での波形の
傾き）を検出するようになっており、検出したピーク値の情報を傾き比較器９９へ出力す
るようになっている。また、ピーク検出器９７、９８には、ＡＮＤ回路９５からの信号が
入力されるようになっており、ＡＮＤ回路９５から「０」から「１」になる信号を入力す
ると（すなわち、立上りエッジが検出されると）、保持しているピーク値をリセットする
ようになっている。
【０１２７】
傾き比較器９９は、ＡＮＤ回路９４からの信号と、ピーク検出器９７、９８からのピー
ク値の情報とによって、１１Ｔの信号における、ピット部分の始まり部分でのピーク値と
、ピット部分の終わり部分でのピーク値とを比較してピーク値差、すなわち再生波形の傾
きの差（波形の歪みの状態）を求め、この差に関する情報を判定器５２Ｃ（図８参照）へ
出力するようになっている。
【０１２８】
上記実施の形態（６）に係る記憶媒体再生装置によれば、波形歪み検出器５１Ｃにより
、ディスク１１からの再生信号の波形の歪み状態（傾きの差）が検出され、この歪み状態
に基づいて、波形の歪みを補償し、所望の波形特性を得るための波形等化が行われる。す
なわち、ディスク１１の再生エラーを引き起こす原因を解消すべく波形等化が行われるの
で、ディスク１１の再生をより適切に行うことができる。
【０１２９】
図１７は、実施の形態（７）に係る記憶媒体再生装置の要部を概略的に示したブロック
図である。但し、図６に示した記憶媒体再生装置と同様の構成部分については同符号を付
している。ディスク１１は光ピックアップ１２で読み出され、読み出された信号（アナロ
グ信号）は遅延回路４１を介して、コンパレータ１８へ入力され、コンパレータ１８でデ
ィジタル信号に変換され、変換されたディジタル信号はＤＦＦ回路１９の入力端子Ｄと、
クロック再生回路であるＰＬＬ回路２０の入力端子へ入力されるようになっている。
【０１３０】
ＰＬＬ回路２０で作り出されたクロック信号は、切換スイッチ４２と、クロック再生回
路１０１と、クロック再生回路１０２と、ＤＦＦ回路４５の入力端子ＣＫと、ディジタル
信号処理部２１のクロック入力端子２１ｂへ入力されるようになっている。但し、ＤＦＦ
回路４５の入力端子ＣＫへ入力される際、クロック信号は反転させられるようになってい
る。
【０１３１】
クロック再生回路１０１は、基本となるクロック信号（ＰＬＬ回路２０で作り出された
クロック信号）よりも所定時間進んだクロック信号を作り出し、クロック再生回路１０２
はその逆に、基本となるクロック信号よりも所定時間遅れたクロック信号を作り出すよう
になっている。
【０１３２】
また、クロック再生回路１０１、１０２で作り出されたクロック信号は、切換スイッチ
４２へ入力されるようになっており、ＰＬＬ回路２０、及びクロック再生回路４３、４４
のいずれかで作り出されたクロック信号は切換スイッチ４２を介して、ＤＦＦ回路１９の
入力端子ＣＫへ入力されるようになっている。
【０１３３】
また、光ピックアップ１２で読み出された信号は、遅延回路４１だけではなく、波形歪
み検出器５１（図９参照）と、ディスク１１からの再生信号のピット長を検出するための
ピット長検出器１０３へも入力され、波形歪み検出器５１で検出されたディスク１１から
の再生信号の波形の歪みの状態を示した情報と、ピット長検出器１０３で検出された情報
とが判定器１０４へ入力されるようになっている。なお、波形歪み検出器５１は、図９に
示した波形歪み検出器５１と同じである。
【０１３４】
判定器１０４は波形歪み検出器５１で検出された結果と、ピット長検出器１０１で検出
された結果とに基づいて、ディスク１１からの再生信号をどのタイミングでＤＦＦ回路４
５へ出力させるべきかを判定し、その判定結果に基づいて、切換スイッチ４２を制御する
ようになっており、例えば、判定器１０４は下記の１〜４に示したように、切換スイッチ
４２を制御するようになっている。
【０１３５】
１）波形の歪みの状態が所定のレベル未満のとき
ＰＬＬ回路２０で作り出された基本となるクロック信号がＤＦＦ回路１９の入力端子Ｃ
Ｋへ入力されるように、切換スイッチ４２を制御する。
２）波形の歪みの状態が前記所定のレベル以上で、ディスク１１からの再生信号が３Ｔ
〜５Ｔの信号であるとき
クロック再生回路１０１で作り出されたクロック信号（基本となるクロック信号よりも
所定時間進んだクロック信号）がＤＦＦ回路１９の入力端子ＣＫへ入力されるように、切
換スイッチ４２を制御する。
３）波形の歪みの状態が前記所定のレベル以上で、ディスク１１からの再生信号が６Ｔ
〜８Ｔの信号であるとき
ＰＬＬ回路２０で作り出された基本となるクロック信号がＤＦＦ回路１９の入力端子Ｃ
Ｋへ入力されるように、切換スイッチ４２を制御する。
４）波形の歪みの状態が前記所定のレベル以上で、ディスク１１からの再生信号が９Ｔ
〜１１Ｔの信号であるとき
クロック再生回路１０２で作り出されたクロック信号（基本となるクロック信号よりも
所定時間遅れたクロック信号）がＤＦＦ回路１９の入力端子ＣＫへ入力されるように、切
換スイッチ４２を制御する。
【０１３６】
上記実施の形態（７）に係る記憶媒体再生装置では、波形歪み検出器として、図９に示
した波形歪み検出器５１を採用しているが、別の実施の形態に係る記憶媒体再生装置では
、図１１に示した波形歪み検出器５１Ａや、図１３に示した波形歪み検出器５１Ｂ、図１
５に示した波形歪み検出器５１Ｃを採用するようにしても良い。
【０１３７】
なお、上記実施の形態（１）〜（７）に係る記憶媒体再生装置において行われる、ディ
スク１１からの再生信号の波形の立上りエッジ（又は立下りエッジ）と再生クロックとの
時間的なズレを検出したり、ディスク１１からの再生信号の波形の歪みの状態を検出した
り、これらズレや歪みを補償するための設定値の変更については、下記の１〜３の期間に
行うのが望ましい。
【０１３８】
１）ディスク１１の再生開始直後の期間
２）ディスク１１の再生開始から再生終了までの期間
３）ディスク１１の中に含まれる各セッション毎の再生開始直後の期間
【図面の簡単な説明】
【０１３９】
【図１】歪みのある再生信号の波形の一例を示した図である。
【図２】図１に示した再生波形のうちピット部分を抽出したものと、再生クロックを示した図である。
【図３】本発明の実施の形態（１）に係る記憶媒体再生装置の要部を概略的に示したブロック図である。
【図４】実施の形態（１）に係る記憶媒体再生装置を構成するズレ検出器の要部を概略的に示したブロック図である。
【図５】実施の形態（１）に係る記憶媒体再生装置での処理の説明に用いる説明図である。
【図６】実施の形態（２）に係る記憶媒体再生装置の要部を概略的に示したブロック図である。
【図７】実施の形態（２）に係る記憶媒体再生装置での処理の説明に用いる説明図である。
【図８】実施の形態（３）に係る記憶媒体再生装置の要部を概略的に示したブロック図である。
【図９】実施の形態（３）に係る記憶媒体再生装置を構成する波形歪み検出器の要部を概略的に示したブロック図である。
【図１０】実施の形態（３）に係る記憶媒体再生装置での処理の説明に用いる説明図である。
【図１１】実施の形態（４）に係る記憶媒体再生装置を構成する波形歪み検出器の要部を概略的に示したブロック図である。
【図１２】実施の形態（４）に係る記憶媒体再生装置での処理の説明に用いる説明図である。
【図１３】実施の形態（５）に係る記憶媒体再生装置を構成する波形歪み検出器の要部を概略的に示したブロック図である。
【図１４】実施の形態（５）に係る記憶媒体再生装置での処理の説明に用いる説明図である。
【図１５】実施の形態（６）に係る記憶媒体再生装置を構成する波形歪み検出器の要部を概略的に示したブロック図である。
【図１６】実施の形態（６）に係る記憶媒体再生装置での処理の説明に用いる説明図である。
【図１７】実施の形態（７）に係る記憶媒体再生装置の要部を概略的に示したブロック図である。
【図１８】ＣＤから出力されるＲＦ信号をオシロスコープで観察した図である。
【図１９】従来のプレーヤの要部を概略的に示したブロック図である。
【符号の説明】
【０１４０】
１３、１７、４２  切換スイッチ
１４〜１６、５３〜５５  波形等化器
１８、３１、６１、７１、８１、９１  コンパレータ
１９、４５  ＤＦＦ回路
２０、３４、６３、７３、８３、９３  ＰＬＬ回路
２２  ズレ検出器
２３、４６、５２、５２Ａ〜５２Ｃ、１０４  判定器
３２  位相比較器
３３、１０３  ピット長検出器
４１  遅延回路
４３、４４、１０１、１０２  クロック再生回路
５１、５１Ａ〜５１Ｃ  波形歪み検出器
６２、７２、８２、９２  シフトレジスタ
６４〜６６、７４〜７６、８４〜８６、９４、９５  ＡＮＤ回路
６７、６８、７７  サンプルホールド回路
６９、７８  レベル比較器
８７、９６  微分回路
８８、９７、９８  ピーク検出器
８９、９９  傾き比較器
【図１】
2005166201.tif 000003
【図２】
2005166201.tif 000004
【図３】
2005166201.tif 000005
【図４】
2005166201.tif 000006
【図５】
2005166201.tif 000007
【図６】
2005166201.tif 000008
【図７】
2005166201.tif 000009
【図８】
2005166201.tif 000010
【図９】
2005166201.tif 000011
【図１０】
2005166201.tif 000012
【図１１】
2005166201.tif 000013
【図１２】
2005166201.tif 000014
【図１３】
2005166201.tif 000015
【図１４】
2005166201.tif 000016
【図１５】
2005166201.tif 000017
【図１６】
2005166201.tif 000018
【図１７】
2005166201.tif 000019
【図１８】
2005166201.tif 000020
【図１９】
2005166201.tif 000021